(57)【要約】      （修正有）【課題】ホールの変形を抑制することができる釦ホールの構造と、左右の前合わせを容易に変更することができる上着を提供する。【解決手段】上着は左前身頃１１と右前身頃１２の両方に設けられた釦ホール２１の端部寄りのカン止位置に渡し布地１７が渡されていることで、長留穴２３と端小穴２４が分離しており連続していない。渡し布地１７を含めてカン止２２が縫製され、布地１３は、必要に応じて表地と裏地との間に力布を備える。  【選択図】図１
0003231530.tif 000002
【実用新案登録請求の範囲】
【請求項１】
右前身頃と左前身頃とを備えた前身頃に釦ホールを有する上着において、
前記釦ホールは、前記右前身頃と前記左前身頃との双方に、左右対称に設けられ、
前記釦ホールは前記前身頃のそれぞれの布地に横長に設けられ、その周囲がかがり糸によって鳩目縫いが施された鳩目縫い部を備え、
前記釦ホールは、その端部寄りのカン止部にて、長留穴と端小穴とに分割され、
前記カン止部は、前記布地が上下方向に渡された渡し布地を備えており、前記渡し布地の上下位置には、前記鳩目縫いが施されており、さらに、前記渡し布地と、前記鳩目縫い部の前記かがり糸の上から、カン止め糸によるカン止縫いが縫製されていることを特徴とするジェンダー平等対応用の上着。
【請求項２】
前記布地はニット製の生地を少なくとも表地として備え、
前記長留穴と前記端小穴とは、その縁部にかがり糸によってかがり縫いが施された鳩目縫い部を備え、前記鳩目縫い部は、その内部に芯糸を内包しないことを特徴とする請求項１に記載のジェンダー平等対応用の上着。
【請求項３】
前記布地は、表地と裏地との間に力布を備えたことを特徴とする請求項１又は２に記載のジェンダー平等対応用の上着。
【請求項４】
前記左前身頃と前記右前身頃との何れか一方の前記釦ホールを選択して、その前記端小穴にチェンジ釦が着脱可能に取り付けられたことを特徴とする請求項１〜３の何れかに記載のジェンダー平等対応用の上着。
【請求項５】
上着の前身頃に設けられた釦ホールの構造において、
前記釦ホールは前記前身頃の布地に横長に設けられ、その周囲がかがり糸によって鳩目縫いが施された鳩目縫い部を備え、
前記釦ホールは、その端部寄りのカン止部にて、長留穴と端小穴とに分割され、
前記カン止部は、前記布地が上下方向に渡された渡し布地を備えており、前記渡し布地の上下位置には、前記鳩目縫いが施されており、さらに、前記渡し布地と、前記鳩目縫い部の前記かがり糸の上から、カン止め糸によるカン止縫いが縫製されており、
前記カン止糸には、前記鳩目縫い部の前記かがり糸よりも細い糸が用いられ、
前記カン止部は、前記鳩目縫い部よりも高密度の縫製加工が前記カン止糸によってなされていることを特徴とする釦ホールの構造。
【考案の詳細な説明】
【技術分野】
【０００１】
本考案は、釦ホールの構造とジャケットなどの上着の改良に関するものである。
【背景技術】
【０００２】
従来、特許文献１や２に示すように、釦ホールの構造については、釦ホール自体の形状や配置について、釦の着脱を容易にするなどの提案がなされている。また、釦ホールの縫製用のミシンについては、縫製作業の能率化を図ったりミシンの工場自体を改良したりするために、特許文献３をはじめとして様々な提案がなされている。
【０００３】
他方、学生服やジャケットなど実用化されている上着については、釦ホールの構造自体については、大きな変化は見られていなかった。ところが今日、性の多様化に伴い、学生服においても左右の前合わせを男女どちらでもかける事が可能な両前合わせのジャケットが求められるケースが増えている。この要求に対しては、布地に縫い付ける釦ではなく、着脱可能なチェンジ釦を用いることによって対応することが検討されている。
【０００４】
具体的には、釦ホールをジャケットの左右両側に設け、各釦ホールを、その端部寄りの位置でカン止部を縫製によって設けることにより、長留穴と端小穴に分割し、左右いずれか一方の側の各釦ホールの端小穴にチェンジ釦を通して固定することによって、ジャケットの着脱時には左右いずれか他方の側の各釦ホールの長留穴にチェンジ釦を留めるようにした仕様とするものが検討された。
ところが、着用者の体型によっては釦を留めて着用していると、釦ホールが広がりホールが変形してしまうという課題が指摘される。
【先行技術文献】
【特許文献】
【０００５】
【特許文献１】特許第４２４８２１１号公報
【特許文献２】特開２００２−３３９１３０号公報
【特許文献３】特許第３７７９９１２号公報
【考案の概要】
【考案が解決しようとする課題】
【０００６】
本考案は、右前合わせと左前合わせを容易に変更することができるジェンダー平等対応の上着を提供することを課題とする。
また本考案は、釦ホールの変形を抑制することができる釦ホールの構造を提供することを課題とする。
【課題を解決するための手段】
【０００７】
本考案は、右前身頃と左前身頃とを備えた前身頃に釦ホールを有する上着において、前記釦ホールは、前記右前身頃と前記左前身頃との双方に、左右対称に設けられ、前記釦ホールは前記前身頃のそれぞれの布地に横長に設けられ、その周囲がかがり糸によって鳩目縫いが施された鳩目縫い部を備える。前記釦ホールは、その端部寄りのカン止部にて、長留穴と端小穴とに分割され、前記カン止部は、前記布地が上下方向に渡された渡し布地を備えており、前記渡し布地の上下位置には、前記鳩目縫いが施されており、さらに、前記渡し布地と、前記鳩目縫い部の前記かがり糸の上から、カン止め糸によるカン止縫いが縫製されていることを特徴とする。
前記長留穴と前記端小穴とは、その縁部にかがり糸によってかがり縫いが施された鳩目縫い部を備え、前記鳩目縫い部は、その内部に芯糸を内包しないものとして実施しても構わない。ニットなどの伸縮性の高い生地を表地として使用した場合には、芯糸が表地の伸度に追従できず、糸止めとなっている閂止めから抜けてしまい、さらに釦ホールを形成しているかがり糸のかがり縫いの隙間より飛び出てしまうおそれがあるが、芯糸を用いないことによってこれらの現象が生ずることを防止することができる。
前記布地は、表地と裏地との間に力布を備えたものとしても構わない。
このように、力布によるスレーキ補強をなすことによって、表地と裏地が比較的伸縮性の高いニット素材であっても、その伸縮性を力布が軽減することで、釦ホールの変形を抑制することができる。
【０００８】
本考案のジャケット等の上着にあっては、チェンジ釦を、左右いずれかが選択された前記前身頃の前記釦ホールの前記端小穴に、着脱可能に取り付けることによって、左前合わせと右前合わせとを容易に変更することができる。したがって、性の多様化に対応することができる。
【考案の効果】
【０００９】
本考案は、ホールの変形を抑制することができる釦ホールの構造を提供することができたものである。
また本考案は、右前合わせと左前合わせを容易に変更することができる上着を提供することができたものである。
【図面の簡単な説明】
【００１０】
【図１】本発明の実施の形態に係る上着の正面図とその要部拡大図である。
【図２】（Ａ）は釦ホールの開口のみを示す正面図、（Ｂ）は完成状態の釦ホールの正面図、（Ｃ）はチェンジ釦の側面図、（Ｄ）はチェンジ釦の他の側面図である。
【図３】（１）〜（４）は、本発明の実施例と比較例に係るサンプル１〜４の試験終了後の左前身頃と左前身頃の釦ホールの正面拡大図である。
【考案を実施するための形態】
【００１１】
以下、図面を参照して本考案の実施の形態を説明する。
（上着の概要）
この実施形態にかかる上着は、ジェンダー平等に配慮した学生用のジャケットとして実施されたもので、左前身頃１１と左前身頃１２はそれぞれほぼ対称の位置に釦ホール２１が形成されている。図１の例では、二つ釦であるため、合計４つの釦ホール２１が形成されている。なお、左襟のフラワーホールは装飾のためや校章をつけるためのものであり、本考案の釦ホール２１には含まれない。
【００１２】
（布地１３の加工）
釦ホール２１を図１及び図２（Ａ）、（Ｂ）に示す。
この釦ホール２１の加工は、まず、布地１３の釦ホール２１を設ける位置の周囲に、かがり糸３１による鳩目縫い部３２が形成される。
一般に、釦ホールの周囲の縫製加工は、眠り穴かがりミシン構造と、鳩目穴かがりミシン構造とに分類される。眠り穴かがりミシン構造は、パールまたはウィップ縫いで構成されるもので、主にシャツや作業着など比較的薄い布地に使われるミシン穴の構造である。より詳しくは、上糸と下糸との２本の糸を用い、１針毎に上下が絡まり、表と裏が同じ縫い目になる構造であって、縫い終わりの糸を短く切ってもほつれないという特徴を有する。
【００１３】
これに対して、本考案にて採用される鳩目穴かがりミシン構造は、鳩目縫いで形成されるもので、主にジャケットなどの比較的厚い布地を用いた重衣料に使われるミシン穴に用いられるものである。この構造では、１本の糸が、生地の下で鎖状に絡み合って、編まれたような縫い目になる。図の右端における縫い終わりの糸を切るとほつれる特徴があるため、縫い終わりの糸を閂止めミシン（本縫い）で踏みつけて縫製して、ほつれ止めを行う。
図の左端においては、端小穴２４を形成するために、略円弧状に連続して折り返すように縫製がなされる。
【００１４】
この実施の形態にかかる釦ホール２１は、上記の鳩目穴かがりミシン構造を備えたものであり、ボタンの着脱による摩擦にも耐えうる強度があるため太番手（例えば３０番手）のフィラメント糸をかがり糸３１として用いて実施される。このように、太番手のかがり糸３１を用いて鳩目穴かがりミシン構造で実施することにより、その特徴である鎖状に編まれた縫い目を程よく際立たせることができる。
【００１５】
次に、鳩目縫い部３２の内側の布地１３を特殊形状のハンマーで抜き加工して、釦ホール２１の開口（図２（Ａ）参照）を設ける。一般的な釦ホールであれば、その右端から左端まで連続した開口が形成されるが、この実施の形態ではその端部寄り（図の左端寄り）に、強固なカン止部２２を形成するために、布地１３を打ち抜いてしまうことなく、開口の上下に繋がった渡し布地１７を残しておくものである。したがってこの実施の形態では、衣服の着脱に際して釦が通される細長い長留穴２３と、その端に形成される端小穴２４とが、渡し布地１７によって分断されて繋がっていない二つの独立した穴として、形成されるものである。
【００１６】
なお、従来はハンマーと呼ばれる打ち抜き治具を用いて長留穴と端小穴とが連続した釦ホールが形成されていたが、本考案に係る実施の形態では渡し布地１７を残して釦ホール２１を形成するために、新たな形状の打ち抜き治具を作成して使用した。これによって、１回の打ち抜き作業によって、長留穴２３と端小穴２４との間に渡し布地１７を備えた釦ホール２１を形成できるようにしているが、この方法に限らず長留穴２３と端小穴２４とを別々の打ち抜き用治具で打ち抜いても構わないし、ハサミで穴を開けても構わないし、その加工方法は問わないものである。
【００１７】
次に、従来の鳩目穴かがりミシン構造と同様釦ホール２１の末端の穴尻（図では右端）に、カン止めを施す。
【００１８】
最後に、釦ホール２１の渡し布地１７の上から、カン止糸３３によるカン止め縫いを施す。カン止糸３３には、フィラメント糸５０番手など、鳩目縫い部３２のかがり糸３１よりも細い糸が用いられ、このカン止糸３３によって左右往復の千鳥縫いで高密度の縫製加工（例えば２８針往復）がなされる。なお、この閂止めミシン構造は本縫いであり、糸末端からほどけることがない。詳しくは、渡し布地１７を含む布地１３と、鳩目縫い部３２のかがり糸３１の上から、細いカン止糸３３による高密度の千鳥縫いが縫製されているものであり、極めて強度の高いカン止部２２が形成される。なお、ここで高密度とは、鳩目縫い部３２に比べて単位長さあたりの糸の本数が多いことを言う。しかもこの実施の形態では図に示されているように、釦ホール２１の上下位置のかがり糸３１の上端からかがり糸３１の下端までを覆うように、カン止糸３３による千鳥縫いが施されている。
【００１９】
またこの実施の形態では、図２（Ａ）、（Ｂ）に示すように、表地１４と裏地１５との間に力布１６を挿入してスレーキ補強を行なっているが、表地１４と裏地１５のみで実施しても構わない。特に、学生用の上着の場合、表地１４と裏地１５には伸縮性の高いニット地が用いられる場合が多いが、この場合には表地１４と裏地１５よりも伸縮性の低い力布１６を挿入することによって、布地１３全体の伸縮性を低く抑えることが好ましい。これに対して、織物地など伸縮性の低い布帛を用いる場合には、力布１６を挿入せずにスレーキ補強を行なわずに実施することもできる。
なお、図１、図２（Ｂ）では、鳩目縫い部３２のかがり糸３１を実際よりも疎な状態で描いていると共に、その幅も大きく描いているが、疎密の程度や３２の幅は、従来の釦ホールと同じ程度で実施して構わない。
【００２０】
この鳩目縫い部３２は、従来の釦ホールのかがり部のようにかがり糸３１の内部に芯糸を通したものであっても構わないが、芯糸を用いずに実施する方が望ましい。
一般に、芯糸は、基本的に釦ホールの伸び止めとしての機能を果たしており、釦ホールの変形防止となる。また芯糸の周りを包むようにかがり糸によるかがり縫いが形成されるため、釦ホールに立体感が出るという利点がある。
ところが、伸縮性の高いニット製の生地を表地１４として使用した場合には、芯糸が表地１４の伸度に追従できず、糸止めとなっている末端のカン止から抜けてしまい、更に釦ホール２１のかがり糸３１のステッチの隙間より飛び出てしまうおそれがあるが、芯糸を用いないことによってこれらの現象が生ずることを防止することができる。但し、織物地のように、伸縮性の高い布帛などの生地を表地１４として使用する場合には、芯糸を用いて実施しても構わない。
【００２１】
（チェンジ釦）
この上着には、糸止めによって取り付けられる一般的な釦ではなく、図２（Ｃ）、（Ｄ）に示すチェンジ釦４１が着脱可能に取り付けられる。チェンジ釦４１の形態は種々変更して実施することができるが、この例では、チェンジ釦４１の本体の裏面から突出するリング状の脚部４２に対して、糸を用いずに着脱することができる裏止め部４３が取り付けられる。具体的には、裏止め部４３は端小穴２４よりも大きな面積を有する合成樹脂製の板状をなしており、その表面側に係止部４４が一体成型されている。この係止部４４は、一端が裏止め部４３に接続され、他端が自由端をなすクリップ状をなす。クリップ状係止部４４が弾性変形することによって、係止部４４の自由端と裏止め部４３の表面との間の隙間から、リング状の脚部４２が挿入され、裏止め部４３の一端寄りの空間部分に収まることによって、チェンジ釦４１の脚部４２と裏止め部４３とが着脱可能に接続されるものである。
【００２２】
（上着の右前合わせと左前合わせ）
上着の使用を開始する時に、左前身頃１１と左前身頃１２のいずれか一方の釦ホール２１に、チェンジ釦４１を取り付けることによって、左前合わせと右前合わせを、着用する者の意思で決めることができるし、その変更も容易に行うことができる。具体的には、左前身頃１１と左前身頃１２のいずれか一方の釦ホール２１に、チェンジ釦４１を取り付ける。取り付け方法は、係止部４４を外した状態の脚部４２を端小穴２４に挿入して、布地１３の裏側から突出した脚部４２に、裏止め部４３の係止部４４を係合させる。これによって、係止部４４が端小穴２４から抜け出ることはなく、通常の上着の釦と同様に、左前身頃１１と左前身頃１２のいずれか他方の釦ホール２１の長留穴２３に、チェンジ釦４１を着脱自在に通して留めることができる。
本考案に係る実施の形態の上着にあっては、釦ホール２１に渡し布地１７を備えるなど釦ホール２１の強度が高められているため、チェンジ釦４１を用いても必要以上の変形が釦ホール２１に生じることがなく、通常の釦を縫着した場合と同様の着心地並びに耐久性を実現することができるものである。もちろん本考案に係る釦ホールの構造にあっては、チェンジ釦を用いない上着に採用しても構わないし、上着の種類もジャケットの他、防寒コート、レインコート、ベスト、ブレザー等、種々のものに適用して実施することができる。
【００２３】
（実施例）
以下本考案の理解を高めるために実施例を示すが、本考案はこの実施例に限定して理解されるべきではない。
［サンプル１〜４の作成］
・サンプル１：比較例
ニット製の布地１３。ニット製の表地１４と裏地１５を用いたもので、力布１６は用いていない。
釦ホール２１は長留穴２３と端小穴２４とが連続しており、渡し布地１７は存在しない。
かがり部３２は芯糸を内包している。カン止２２は１回のみ施した。
・サンプル２：実施例
ニット製の布地１３。ニット製の表地１４と裏地１５との間に、布帛製の力布１６を挿入した。
釦ホール２１は長留穴２３と端小穴２４とが連続しておらず、渡し布地１７が存在する。
かがり部３２は芯糸を内包していない。カン止２２は２回施した。
・サンプル３：比較例
布帛（サージ）製の布地１３。布帛製の表地１４と裏地１５を用いたもので、力布１６は用いていない。
釦ホール２１は長留穴２３と端小穴２４とが連続しており、渡し布地１７は存在しない。
かがり部３２は芯糸を内包している。カン止２２は1回のみ施した。
・サンプル４：実施例
布帛（サージ）製の布地１３。布帛製の表地１４と裏地１５を用いたもので、力布１６は用いていない。
釦ホール２１は長留穴２３と端小穴２４とが連続しておらず、渡し布地１７が存在する。
かがり部３２は芯糸を内包していない。カン止２２は２回施した。
【００２４】
［試験の実施］
上記の各サンプルについて、釦ホールカン止め部分の引張強度試験を実施した。試験方法は、ＪＩＳ  Ｌ  １０９６ Ａ 法準用  つかみ間隔：１５cm  引張速度１００mm／minにて、各サンプルについて試験を実施した。 
【００２５】
［試験の結果］
各サンプルについて、図３に試験終了後の左身頃と右身頃の釦ホールの状態を示す。実施例に相当するサンプル２と４ではチェンジ釦が破断して外れしまったものであり、この状態でも釦ホールのカン止め部分の糸が切れていなかった。これによって、実施例に相当するサンプル２と４は、チェンジ釦の限界強度以上の強度を示すことが確認された。なお、図３（２）、（４）ではチェンジ釦が破断して外れてしまったため写っていない。
これに対して、比較例に相当する図３（１）、（３）のサンプル１と３では、チェンジ釦が破断する前にカン止め部分の糸が切れてしまった。
以上の結果、実施例に相当するサンプル２と４は、比較例に相当するサンプル１と３に比べて、釦ホールカン止め部分の引張強度が向上しチェンジ釦の限界強度以上の強度を示すことが確認された。
【符号の説明】
【００２６】
１１  左前身頃
１２  左前身頃
１３  布地
１４  表地
１５  裏地
１６  力布
１７  渡し布地
２１  釦ホール
２２  カン止部
２３  長留穴
２４  端小穴
３１  かがり糸
３２  鳩目縫い部
３３  カン止糸
４１  チェンジ釦
４２  脚部
４３  裏止め部
４４  係止部
【図１】
0003231530.tif 000003
【図２】
0003231530.tif 000004
【図３】
0003231530.tif 000005